(57)【要約】【課題】省エネルギー機器について、ユーザがライフスタイルに適した商品を選択すること。【解決手段】本発明の省エネルギー機器公開システムは、ユーザの宅内に設置された各家電機器の電力消費量を時間関数として計測する計測部２３と、計測部２３にて計測された各家電機器の電力消費量の時間関数に基づいて、各家電機器の電力消費パターンを判定する電力消費パターン判定部３３と、電力消費パターン判定部３３にて判定された各家電機器の電力消費パターンに基づいて、ユーザのライフスタイルを判定するライフスタイル判定部３４と、ライフスタイル判定部３４にて判定されたユーザのライフスタイルを記憶する記憶部４２と、ユーザから省エネルギーである家電機器の商品紹介が要求されると、その家電機器の商品のうちユーザのライフスタイルに応じた商品を公開する機器公開部４３と、を有する。【選択図】図２
2010182159.tif 000002
【特許請求の範囲】
【請求項１】
省エネルギーである機器の商品を公開する省エネルギー機器公開システムであって、
ユーザの宅内に設置された各家電機器の電力消費量を時間関数として計測する計測手段と、
前記計測手段にて計測された各家電機器の電力消費量の時間関数に基づいて、各家電機器の電力消費パターンを判定する電力消費パターン判定手段と、
前記電力消費パターン判定手段にて判定された各家電機器の電力消費パターンに基づいて、前記ユーザのライフスタイルを判定するライフスタイル判定手段と、
前記ライフスタイル判定手段にて判定された前記ユーザのライフスタイルを記憶する記憶手段と、
前記ユーザから省エネルギーである家電機器の商品紹介が要求されると、当該家電機器の商品のうち当該ユーザのライフスタイルに応じた商品を公開する公開手段と、を有する省エネルギー機器公開システム。
【請求項２】
ユーザのライフスタイルと各家電機器の電力消費パターンとの対応関係を表すテーブルを予め記憶する手段を有し、
前記ライフスタイル判定手段は、前記電力消費パターン判定手段にて判定された各家電機器の電力消費パターンを前記テーブルと照合することで、前記ユーザのライフスタイルを判定する、請求項１に記載の省エネルギー機器公開システム。
【請求項３】
省エネルギーである機器の商品を公開する省エネルギー機器公開システムによる省エネルギー機器公開方法であって、
ユーザの宅内に設置された各家電機器の電力消費量を時間関数として計測するステップと、
前記計測された各家電機器の電力消費量の時間関数に基づいて、各家電機器の電力消費パターンを判定するステップと、
前記判定された各家電機器の電力消費パターンに基づいて、前記ユーザのライフスタイルを判定するステップと、
前記判定された前記ユーザのライフスタイルを記憶するステップと、
前記ユーザから省エネルギーである家電機器の商品紹介が要求されると、当該家電機器の商品のうち当該ユーザのライフスタイルに応じた商品を公開するステップと、を有する省エネルギー機器公開方法。
【請求項４】
ユーザのライフスタイルと各家電機器の電力消費パターンとの対応関係を表すテーブルを予め記憶するステップを有し、
前記ライフスタイルを判定するステップでは、前記電力消費パターン判定手段にて判定された各家電機器の電力消費パターンを前記テーブルと照合することで、前記ユーザのライフスタイルを判定する、請求項３に記載の省エネルギー機器公開方法。
【発明の詳細な説明】
【技術分野】
【０００１】
本発明は、家電機器等の省エネルギー機器について、ユーザに適した商品を公開する省エネルギー機器公開システムおよび省エネルギー機器公開方法に関する。
【背景技術】
【０００２】
近年、様々な分野で、消費電力の低減により省エネルギー性能を高めた省エネルギー機器の開発が進められている。その一例として、家電機器が挙げられる。
【０００３】
家電機器は、日本工業規格により消費電力の計測方法が定められており、その計測方法に基づいて計測された消費電力値がカタログ値として用いられている。
【０００４】
また、一部の家電機器の省エネルギー性能については、ある時点で最も省エネルギー性能が優れている商品の消費電力量値（カタログ値）を基準値とし、対象の商品が基準値をどの程度上回っているか、または下回っているかを数値（省エネ達成率）で示すというトップランナー方式が１９９９年から導入されている（例えば、非特許文献１）。
【０００５】
そのため、ユーザは、電気店の店頭で、消費電力値や省エネ達成率を確認することにより、購入前に、商品ごとに省エネルギー性能を比較することができる。
【先行技術文献】
【非特許文献】
【０００６】
【非特許文献１】財団法人  省エネルギーセンター、よくある質問とその答え（法令関係/機械器具関連、トップランナー基準）、［平成２１年１月２２日検索］、インターネット＜URL:http://www.eccj.or.jp/qanda/machine/qa01.html＞
【発明の概要】
【発明が解決しようとする課題】
【０００７】
しかし、ある家電機器において、省エネルギー性など優れた性能を持っていても、それを使用するユーザによっては十分に性能を発揮できない可能性がある。
【０００８】
例えば、洗濯機を例に挙げると、ユーザが単身者であれば、洗濯機の稼働は土日に集中するものの、洗濯容量は比較的小さなものでよい。
【０００９】
しかし、いくら省エネルギー性能の優れた洗濯機でも、大容量の機種で少量の洗濯を行う場合はかえって電力を余計に使用する恐れがあり、適当ではない。
【００１０】
また、エアコンを例に挙げると、主に深夜に在宅するいわゆる夜型のユーザの場合、エアコンの運転も深夜に行うが、省エネルギー性能が良くても室外機の騒音が大きければ近所迷惑となりかねない。
【００１１】
このように家電機器は、それを使用するユーザのライフスタイル（生活実態）を考慮して選定しなければ、その性能を十分に発揮することができない。
【００１２】
しかし、従来、ユーザは、家電機器を購入する際、上述のように消費電力値や省エネ達成率を中心に商品を選択しており、各ユーザのライフスタイルまで加味した商品の選択は必ずしも行われてこなかったため、家電機器の省エネルギー性能などの効果を十分に得られないという課題があった。
【００１３】
そこで、本発明の目的は、省エネルギー機器について、ユーザがライフスタイルに適した商品を選択することができる省エネルギー機器公開システムおよび省エネルギー機器公開方法を提供することにある。
【課題を解決するための手段】
【００１４】
本発明の省エネルギー機器公開システムは、
省エネルギーである機器の商品を公開する省エネルギー機器公開システムであって、
ユーザの宅内に設置された各家電機器の電力消費量を時間関数として計測する計測手段と、
前記計測手段にて計測された各家電機器の電力消費量の時間関数に基づいて、各家電機器の電力消費パターンを判定する電力消費パターン判定手段と、
前記電力消費パターン判定手段にて判定された各家電機器の電力消費パターンに基づいて、前記ユーザのライフスタイルを判定するライフスタイル判定手段と、
前記ライフスタイル判定手段にて判定された前記ユーザのライフスタイルを記憶する記憶手段と、
前記ユーザから省エネルギーである家電機器の商品紹介が要求されると、当該家電機器の商品のうち当該ユーザのライフスタイルに応じた商品を公開する公開手段と、を有する。
【００１５】
本発明の省エネルギー機器公開方法は、
省エネルギーである機器の商品を公開する省エネルギー機器公開システムによる省エネルギー機器公開方法であって、
ユーザの宅内に設置された各家電機器の電力消費量を時間関数として計測するステップと、
前記計測された各家電機器の電力消費量の時間関数に基づいて、各家電機器の電力消費パターンを判定するステップと、
前記判定された各家電機器の電力消費パターンに基づいて、前記ユーザのライフスタイルを判定するステップと、
前記判定された前記ユーザのライフスタイルを記憶するステップと、
前記ユーザから省エネルギーである家電機器の商品紹介が要求されると、当該家電機器の商品のうち当該ユーザのライフスタイルに応じた商品を公開するステップと、を有する。
【発明の効果】
【００１６】
本発明によれば、ユーザの宅内に設置された各家電機器の電力消費量を時間関数として計測し、その計測結果に基づいて各家電機器の電力消費パターンを判定し、その判定結果に基づいてそのユーザのライフスタイルを判定し、記憶しておく。そして、ユーザから省エネルギーである家電機器の商品紹介が要求されると、そのユーザに対し、その家電機器の商品のうちそのユーザのライフスタイルに応じた商品を公開する。
【００１７】
これにより、ユーザは、省エネルギー機器について、自分のライフスタイルに適した商品を閲覧することができるため、自分のライフスタイルに適した商品を選択することができるという効果が得られる。
【図面の簡単な説明】
【００１８】
【図１】本発明の一実施形態の省エネルギー機器公開システムの構成を示す図である。
【図２】図１に示した電力計測ユニット、制御ユニット、および管理サーバの内部構成の一例を示すブロック図である。
【図３】ユーザのユーザ識別ＩＤとユーザ情報との対応関係を表すテーブルの一例を示す図である。
【図４】ユーザのライフスタイルと各家電機器の電力消費パターンとの対応関係を表すテーブルの一例を示す図である。
【図５】ユーザのユーザ識別ＩＤとライフスタイルとの対応関係を表すテーブルの一例を示す図である。
【図６】家電機器の種類別に、ユーザのライフスタイルごとに、そのライフスタイルに適した商品を表すテーブルの一例を示す図である。
【図７】洗濯機について、ユーザのライフスタイルごとに、そのライフスタイルに適した商品性能の一例を示す図である。
【図８】洗濯機について、ユーザのライフスタイルに適した商品を紹介する画面の一例を示す図である。
【図９】図１に示した省エネルギー機器公開システムにおいて、ユーザのライフスタイルを判定する場合の動作を説明するフローチャートである。
【図１０】図１に示した省エネルギー機器公開システムにおいて、ユーザに商品を紹介する場合の動作を説明するフローチャートである。
【発明を実施するための形態】
【００１９】
以下に、本発明を実施するための形態について図面を参照して説明する。
【００２０】
なお、本実施形態では、省エネルギー機器が、洗濯機およびテレビの家電機器であるものとして説明するが、本発明はこれに限定されない。また、ユーザのライフスタイルが、洗濯機およびテレビの稼働状況に応じて、「単身者型」、「共働き型」、「高齢者型」、または「夜型」の４つのいずれかに分類されるものとして説明するが、本発明はこれに限定されない。
【００２１】
図１および図２に示すように、本実施形態の省エネルギー機器公開システムは、家電機器としての洗濯機１０−１およびテレビ１０−２と、電力計側ユニット２０−１，２０−２と、制御ユニット３０と、管理サーバ４０と、を有している。
【００２２】
なお、図２においては、電力計側ユニット２０−１の内部構成のみを示しているが、電力計側ユニット２０−２の内部構成も電力計側ユニット２０−１と同様であるものとする。また、図２においては、電力計測ユニット、制御ユニット、および管理サーバの構成要素のうち本発明に関連する構成要素のみを示し、その他の構成要素は省略している。
【００２３】
電力計側ユニット２０−１は、洗濯機１０−１に対応して設けられたもので、洗濯機１０−１の電源プラグとコンセントとの間に設置されており、通信部２１と、給電部２２と、計測部２３と、を有している。
【００２４】
通信部２１は、制御ユニット３０と無線通信を行う。
【００２５】
給電部２２は、洗濯機１０−１に対する給電を行う。
【００２６】
計測部２３は、洗濯機１０−１の電力消費量を、電力消費量の時間推移を示す時間関数として計測し、その計測データを通信部２１を介して制御ユニット３０に無線で送信する。
【００２７】
具体的には、計測部２３は、一定時間ごとに、洗濯機１０−１から出力される電圧値および電流値を計測し、両者を乗じることにより消費電力を算出し、算出した消費電力にさらに計測時間を乗じることにより１分間における電力消費量（Ｗｈ）を算出し、算出した電力消費量の時間推移を基に時間関数を求める。
【００２８】
なお、電力計側ユニット２０−２は、テレビ１０−２に対応して、テレビ１０−２の電源プラグとコンセントとの間に設置されたもので、その構成および動作は電力計側ユニット２０−１と同様であるため、説明を省略する。
【００２９】
制御ユニット３０は、通信部３１と、記憶部３２と、電力消費パターン判定部３３と、ライフスタイル判定部３４と、入力部３５と、表示部３６と、を有している。
【００３０】
通信部３１は、電力計側ユニット２０−１，２０−２と無線通信を行うとともに、管理サーバ４０とネットワーク通信を行う。なお、通信部３１は、無線通信を行う部分と、ネットワーク通信を行う部分と、を分離させた構成としても良い。
【００３１】
記憶部３２は、図３に示すように、ユーザに予め付与したユーザ識別ＩＤとそのユーザのユーザ名等のユーザ情報との対応関係を表すテーブルと、図４に示すように、各家電機器の電力消費パターンとユーザのライフスタイルとの対応関係を表すテーブルと、を予め記憶している。図４に示したテーブルでは、例えば、「単身者型」と「洗濯機の稼働が土日に集中する電力消費パターン」とが対応付けられている。
【００３２】
電力消費パターン判定部３３は、ユーザごとに、そのユーザの宅内に設置された各家電機器に対応する電力計側ユニット２０−１，２０−２から送信されてきた各家電機器の電力消費量の時間関数を基に、各家電機器が稼働している時間および曜日を判定し、さらに、その判定結果を基に、各家電機器の電力消費パターンを判定する。
【００３３】
例えば、消費電力量が一定の閾値以上であれば稼働状態、閾値未満であれば停止状態と判定することができる。また、洗濯機１０−１の稼働が土日に集中していれば、「洗濯機の稼働が土日に集中する電力消費パターン」と判定することができる。
【００３４】
ライフスタイル判定部３４は、電力消費パターン判定部３３にて判定された各家電機器の電力消費パターンを、図４に示したテーブルと照合することで、ユーザのライフスタイルを判定し、判定したライフスタイルの情報にそのユーザのユーザ識別ＩＤを付加して、通信部３１からネットワークを介して管理サーバに４０に送信する。
【００３５】
入力部３５は、ユーザにより、各種入力が行われる。
【００３６】
例えば、入力部３５は、ユーザにより、家電機器の種類（洗濯機、テレビ等）を指定した商品紹介要求が入力されると、その商品紹介要求にそのユーザのユーザ識別ＩＤを付加して、通信部３１からネットワークを介して管理サーバに４０に送信する。
【００３７】
表示部３６は、各種表示を行う。
【００３８】
例えば、表示部３６は、ユーザが商品紹介を要求した家電機器について、そのユーザのライフスタイルに適した商品を掲載した画面が管理サーバに４０から送信されてくると、その画面を表示する。
【００３９】
管理サーバ４０は、通信部４１と、記憶部４２と、機器公開部４３と、を有している。
【００４０】
通信部４１は、制御ユニット３０とネットワーク通信を行う。
【００４１】
記憶部４２は、図５に示すように、制御ユニット３０から送信されてきた、ユーザのユーザ識別ＩＤとライフスタイルとの対応関係を表すテーブルを記憶する。
【００４２】
また、記憶部４２は、図６に示すように、家電機器の種類別に、ユーザのライフスタイルごとに、そのライフスタイルに適した商品を表すテーブルを予め記憶している。なお、図６に示したテーブルの情報は、記憶部４２に別に記憶された各商品のカタログ情報を基に、ライフスタイルごとに分類して記憶されたものである。また、図６に示した商品の情報は一例であって、その他に、各メーカの商品紹介サイトのＵＲＬを含んでも良いし、また、例えば、洗濯機の場合は、消費電力、運転時の運転騒音、水使用量、サイズ等を含んでも良い。
【００４３】
なお、ライフスタイルに適した商品としては、例えば、洗濯機の場合は、図７に示すような性能の商品が考えられる。図７に示した例では、例えば、洗濯機の場合は、「単身者型」のユーザに適する商品が、「小型で低消費電力の商品」であることを示している。
【００４４】
機器公開部４３は、制御ユニット３０からユーザのユーザ識別ＩＤが付加された商品紹介要求が送信されてくると、そのユーザ識別ＩＤを図５に示したテーブルと照合することで、そのユーザのライフスタイルを特定する。
【００４５】
さらに、機器公開部４３は、上記で特定したユーザのライフスタイルを図６に示したテーブルと照合することで、ユーザが商品紹介を要求した家電機器について、ライフスタイルに適した商品を抽出し、例えば、図８に示すように、抽出した商品を掲載した画面を生成して、通信部４１からネットワークを介して制御ユニット３０に送信する。これにより、ユーザが商品紹介を要求した家電機器について、そのユーザのライフスタイルに適した商品を公開することができる。
【００４６】
以下、本実施形態の省エネルギー機器公開システムの動作について説明する。
【００４７】
［ユーザのライフスタイルの判定動作］
最初に、ユーザのライフスタイルを判定する場合の動作について、図９を参照して説明する。なお、図９では、ユーザが宅内に図１および図２に示した洗濯機１０−１およびテレビ１０−２を備え、ユーザ識別ＩＤが「Ｕ００１」であるユーザであるものとし、また、制御ユニット３０の記憶部３２には、図３および図４に示したテーブルが予め記憶されているものとする（以下の図１０も同様）。
【００４８】
図９に示すように、まず、電力計側ユニット２０−１，２０−２は、一定時間（例えば、１分）ごとに、それぞれ、計測部２３により、洗濯機１０−１およびテレビ１０−２の電力消費量を時間関数として計測し（ステップＡ１）、一定間隔（例えば、数分間隔）で、その計測データを制御ユニット３０に無線で送信する（ステップＡ２）。
【００４９】
次に、制御ユニット３０は、電力消費パターン判定部３３により、電力計側ユニット２０−１，２０−２から送信されてきた洗濯機１０−１およびテレビ１０−２の電力消費量の時間関数を基に、洗濯機１０−１およびテレビ１０−２が稼働している時間および曜日を判定し、その判定結果を記憶部３２に記憶する（ステップＡ３）。
【００５０】
制御ユニット３０は、記憶部３２に記憶されている判定結果が一定量（例えば、１週間分）になると、電力消費パターン判定部３３により、これら判定結果を基に、洗濯機１０−１およびテレビ１０−２の電力消費パターンを判定する（ステップＡ４）。ここでは、「洗濯機の稼働が土日に集中する電力消費パターン」と判定されたとする。
【００５１】
次に、制御ユニット３０は、ライフスタイル判定部３４により、洗濯機１０−１およびテレビ１０−２の電力消費パターン「洗濯機の稼働が土日に集中する電力消費パターン」を、図４に示したテーブルと照合することで、ユーザのライフスタイルを判定する（ステップＡ５）。ここでは、「単身者型」と判定される。
【００５２】
次に、制御ユニット３０は、ユーザのライフスタイル「単身者型」にそのユーザのユーザ識別ＩＤ「Ｕ００１」を付加して管理サーバに４０に送信する（ステップＡ６）。
【００５３】
その後、管理サーバ４０は、図５に示すように、ユーザのユーザ識別ＩＤ「Ｕ００１」とライフスタイル「単身者型」との対応関係を記憶部４２に記憶する（ステップＡ７）。
【００５４】
［ユーザに商品を紹介する動作］
続いて、ユーザに洗濯機の商品を紹介する場合の動作について、図１０を参照して説明する。なお、図１０では、ユーザが宅内に図１および図２に示した洗濯機１０−１およびテレビ１０−２を備え、ユーザ識別ＩＤが「Ｕ００１」であるユーザであるものとし、また、管理サーバ４０の記憶部４２には、図６に示したテーブルが予め記憶されており、また、図９の処理により図５に示したテーブルが記憶されたものとする。
【００５５】
まず、制御ユニット３０は、ユーザにより、家電機器の種類として「洗濯機」を指定した商品紹介要求が入力部３５に入力されると（ステップＢ１）、その商品紹介要求にそのユーザのユーザ識別ＩＤ「Ｕ００１」を付加して管理サーバに４０に送信する（ステップＢ２）。
【００５６】
次に、管理サーバに４０は、機器公開部４３により、制御ユニット３０から送信されてきた商品紹介要求に付加されたユーザ識別ＩＤ「Ｕ００１」を図５に示したテーブルと照合することで、そのユーザのライフスタイルを特定する（ステップＢ３）。ここでは、「単身者型」と特定される。
【００５７】
次に、管理サーバ４０は、機器公開部４３により、ユーザのライフスタイル「単身者型」を図６に示したテーブルと照合することで、ユーザが商品紹介を要求した「洗濯機」について、「単身者型」のユーザに適した商品を抽出し、抽出した商品を掲載した画面を生成して（ステップＢ４）、制御ユニット３０に送信する（ステップＢ５）。
【００５８】
その後、制御ユニット３０は、管理サーバ４０から送信されてきた、「単身者型」のユーザに適した「洗濯機」の商品を掲載した画面を表示部３６に表示する（ステップＢ６）。
【００５９】
上述したように本実施形態においては、ユーザの宅内に設置された各家電機器の電力消費量を時間関数として計測し、その計測結果に基づいて各家電機器の電力消費パターンを判定し、その判定結果に基づいてそのユーザのライフスタイルを判定し、記憶しておく。そして、ユーザから家電機器の商品紹介が要求されると、そのユーザに対し、その家電機器の商品のうちそのユーザのライフスタイルに応じた商品を公開する。
【００６０】
これにより、ユーザは、家電機器について、自分のライフスタイルに適した商品を閲覧することができるため、自分のライフスタイルに適した商品を選択することができる。
【００６１】
なお、本実施形態においては、ユーザのライフスタイルの判定を、制御ユニット３０で行っているが、本発明はこれに限らず、管理サーバ４０で行うこととしても良い。この場合、ライフスタイル判定部３４および図４に示したテーブルを管理サーバ４０に移設する。そして、制御ユニット３０が、電力消費パターン判定部３３により、ユーザの各家電機器の電力消費パターンを管理サーバ４０に送信し、管理サーバ４０が、ライフスタイル判定部３４により、図４に示したテーブルを照合して、そのユーザのライフスタイルを判定することになる。
【００６２】
また、本実施形態においては、ユーザが商品紹介を希望する家電機器の入力、および、そのユーザのライフスタイルに適した商品を掲載した画面の表示を、制御ユニット３０で行っているが、本発明はこれに限らず、不図示のＷｅｂ端末で行うこととしても良い。この場合、入力部３５および表示部３６をＷｅｂ端末に移設する。そして、ユーザの商品紹介要求、および、そのユーザのライフスタイルに適した商品を掲載した画面は、Ｗｅｂ端末と管理サーバ４０との間で制御ユニット３０を介して送受信することになる。
【符号の説明】
【００６３】
１０−１    洗濯機
１０−２    テレビ
２０−１，２０−２    電力計側ユニット
２１    通信部
２２    給電部
２３    計測部
３０    制御ユニット
３１    通信部
３２    記憶部
３３    電力消費パターン判定部
３４    ライフスタイル判定部
３５    入力部
３６    表示部
４０    管理サーバ
４１    通信部
４２    記憶部
４３    機器公開部
【図１】
2010182159.tif 000003
【図２】
2010182159.tif 000004
【図３】
2010182159.tif 000005
【図４】
2010182159.tif 000006
【図５】
2010182159.tif 000007
【図６】
2010182159.tif 000008
【図７】
2010182159.tif 000009
【図８】
2010182159.tif 000010
【図９】
2010182159.tif 000011
【図１０】
2010182159.tif 000012